(57)【要約】【課題】軽水炉の経済性を損なうことなく安全余裕をさらに増大させることが可能な軽水炉の炉心を提供する。【解決手段】再処理で得られた核燃料物質を含んでおり且つ燃焼度ゼロの時点で含まれている全てのＴＲＵ中に占めるＰｕ−２３９の割合が４０％以上６０％以下の範囲にある複数の燃料集合体１が装荷されているＢＷＲ１９の炉心２０は、上端より、上部ブランケット領域５Ａ、上部燃料領域６Ａ、内部ブランケット領域７Ａ、下部燃料領域８Ａ及び下部ブランケット領域９Ａを形成する。原子炉の定格運転中、安全棒の中性子吸収材充填領域の上端が下部ブランケット領域９Ａの下端の位置にある。上部ブランケット領域５Ａの高さは７０ｍｍで下部ブランケット領域９Ａの高さは２８０ｍｍである。上部及び下部ブランケットの高さの和は３５０ｍｍ、領域９Ａの高さは領域５Ａの４倍である。【選択図】図１１
2010038852.tif 000002
【特許請求の範囲】
【請求項１】
超ウラン核種の複数の同位元素を含む核燃料物質を有する複数の燃料集合体が装荷され、上部ブランケット領域、下部ブランケット領域及び前記上部ブランケット領域と前記下部ブランケットの間に配置されて前記超ウラン核種を含む燃料領域を形成している軽水炉の炉心において、
装荷された燃焼度ゼロの前記燃料集合体は、この燃料集合体に含まれる全ての前記超ウラン核種中に占めるＰｕ−２３９の割合が４０％以上６０％以下の範囲内にあり、前記下部ブランケット領域の高さと前記上部ブランケット領域の高さの和が２５０ｍｍ以上６００ｍｍ以下の範囲内にあり、及び前記下部ブランケット領域の高さが前記上部ブランケット領域の高さの１．６倍以上１２倍以下の範囲内にあることを特徴とする軽水炉の炉心。
【請求項２】
前記上部ブランケット領域の高さが３０ｍｍ以上１０５ｍｍ以下の範囲内にある請求項１に記載の軽水炉の炉心。
【請求項３】
前記炉心は、内部ブランケット領域、前記上部ブランケット領域と前記内部ブランケットの間に配置されて前記超ウラン核種を含む、前記燃料領域である上部燃料領域及び前記内部ブランケット領域と前記下部ブランケットの間に配置されて前記超ウラン核種を含む、前記燃料領域である下部燃料領域を有しており、
前記上部燃料領域の高さが前記下部燃料領域の高さよりも、１０ｍｍ以上２５ｍｍの範囲内で高くなっている請求項１または請求項２に記載の軽水炉の炉心。
【請求項４】
超ウラン核種の複数の同位元素を含む核燃料物質を有する複数の燃料集合体が装荷され、上部ブランケット領域、下部ブランケット領域及び前記上部ブランケット領域と前記下部ブランケットの間に配置されて前記超ウラン核種を含む燃料領域を形成している軽水炉の炉心において、
装荷された燃焼度ゼロの前記燃料集合体は、この燃料集合体に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び前記上部ブランケット領域の高さが３０ｍｍ以上１０５ｍｍ以下の範囲内にあることを特徴とする軽水炉の炉心。
【請求項５】
超ウラン核種の複数の同位元素を含む核燃料物質を有する複数の燃料集合体が装荷され、上部ブランケット領域、内部ブランケット領域、下部ブランケット領域、前記上部ブランケット領域と前記内部ブランケットの間に配置されて前記超ウラン核種を含む上部燃料領域及び前記内部ブランケット領域と前記下部ブランケットの間に配置されて前記超ウラン核種を含む下部燃料領域を形成している軽水炉の炉心において、
装荷された燃焼度ゼロの前記燃料集合体は、この燃料集合体に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び前記上部燃料領域の高さが前記下部燃料領域の高さよりも、１０ｍｍ以上２５ｍｍの範囲内で高くなっていることを特徴とする軽水炉の炉心。
【請求項６】
超ウラン核種の複数の同位元素を含む核燃料物質を有する複数の燃料集合体が装荷され、上部ブランケット領域、下部ブランケット領域及び前記上部ブランケット領域と前記下部ブランケットの間に配置されて前記超ウラン核種を含む燃料領域を形成している軽水炉の炉心において、
装荷された燃焼度ゼロの前記燃料集合体は、この燃料集合体に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び安全棒の中性子吸収材料域の上端が、前記下部ブランケット領域の下端付近及び前記下部ブランケット領域内のいずれかに位置されていることを特徴とする軽水炉の炉心。
【請求項７】
超ウラン核種の複数の同位元素を含む核燃料物質を有する複数の燃料集合体が装荷され、上部ブランケット領域及び前記上部ブランケット領域の下方に配置されて前記超ウラン核種を含む燃料領域を形成している軽水炉の炉心において、
装荷された燃焼度ゼロの前記燃料集合体は、この燃料集合体に含まれる全ての前記超ウラン核種中に占めるＰｕ−２３９の割合が５％以上４０％未満の範囲内にあり、前記上部ブランケット領域の高さが２０ｍｍ以上１００ｍｍ以下の範囲内にあり、前記燃料領域の下端が前記炉心の下端に一致していることを特徴とする軽水炉の炉心。
【請求項８】
前記炉心は、内部ブランケット領域、前記上部ブランケット領域と前記内部ブランケット領域の間に配置されて前記超ウラン核種を含む、前記燃料領域である上部燃料領域及び前記内部ブランケット領域の下方に配置されて前記超ウラン核種を含む、前記燃料領域である下部燃料領域を有しており、
前記上部燃料領域の高さが前記下部燃料領域の高さよりも、１０ｍｍ以上２５ｍｍの範囲内で高くなっている請求項７に記載の軽水炉の炉心。
【請求項９】
超ウラン核種の複数の同位元素を含む核燃料物質を有する複数の燃料集合体が装荷され、上部ブランケット領域及び前記上部ブランケット領域の下方に配置されて前記超ウラン核種を含む燃料領域を形成している軽水炉の炉心において、
装荷された燃焼度ゼロの前記燃料集合体は、この燃料集合体に含まれる全ての前記超ウラン核種中に占めるＰｕ−２３９の割合が５％以上４０％未満の範囲内にあり、前記上部ブランケット領域の高さが２０ｍｍ以上１００ｍｍ以下の範囲内にあり、前記燃料領域の下端が前記炉心の下端に一致しており、及び安全棒の中性子吸収材領域の上端が、前記燃料領域の下端付近に位置されていることを特徴とする軽水炉の炉心。
【請求項１０】
超ウラン核種の複数の同位元素を含む核燃料物質を有する複数の燃料集合体が装荷され、上部ブランケット領域、内部ブランケット領域、前記上部ブランケット領域と前記内部ブランケットの間に配置されて前記超ウラン核種を含む上部燃料領域及び前記内部ブランケット領域の下方に配置されて前記超ウラン核種を含む下部燃料領域を形成している軽水炉の炉心において、
装荷された燃焼度ゼロの前記燃料集合体は、この燃料集合体に含まれる全ての前記超ウラン核種中に占めるＰｕ−２３９の割合が５％以上４０％未満の範囲内にあり、前記下部燃料領域の下端が前記炉心の下端に一致しており、及び前記上部燃料領域の高さが前記下部燃料領域の高さよりも、１０ｍｍ以上２５ｍｍの範囲内で高くなっていることを特徴とする軽水炉の炉心。
【請求項１１】
超ウラン核種の複数の同位元素を含む核燃料物質を有し、上部ブランケット領域、下部ブランケット領域及び前記上部ブランケット領域と前記下部ブランケットの間に配置されて前記超ウラン核種を含む燃料領域を形成している燃料集合体において、
燃焼度ゼロのとき、前記核燃料物質に含まれる全ての前記超ウラン核種中に占めるＰｕ−２３９の割合が４０％以上６０％以下の範囲内にあり、前記下部ブランケット領域の高さと前記上部ブランケット領域の高さの和が２５０ｍｍ以上６００ｍｍ以下の範囲内にあり、及び前記下部ブランケット領域の高さが前記上部ブランケット領域の高さの１．６倍以上１２倍以下の範囲内にあることを特徴とする燃料集合体。
【請求項１２】
前記上部ブランケット領域の高さが３０ｍｍ以上１０５ｍｍ以下の範囲内にある請求項１１に記載の燃料集合体。
【請求項１３】
前記燃料集合体は、内部ブランケット領域、前記上部ブランケット領域と前記内部ブランケットの間に配置されて前記超ウラン核種を含む、前記燃料領域である上部燃料領域及び前記内部ブランケット領域と前記下部ブランケットの間に配置されて前記超ウラン核種を含む、前記燃料領域である下部燃料領域を有しており、
前記上部燃料領域の高さが前記下部燃料領域の高さよりも、１０ｍｍ以上２５ｍｍの範囲内で高くなっている請求項１１または請求項１２に記載の燃料集合体。
【請求項１４】
超ウラン核種の複数の同位元素を含む核燃料物質を有し、上部ブランケット領域、下部ブランケット領域及び前記上部ブランケット領域と前記下部ブランケットの間に配置されて前記超ウラン核種を含む燃料領域を形成している燃料集合体において、
燃焼度ゼロのとき、前記核燃料物質に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び前記上部ブランケット領域の高さが３０ｍｍ以上１０５ｍｍ以下の範囲内にあることを特徴とする燃料集合体。
【請求項１５】
超ウラン核種の複数の同位元素を含む核燃料物質を有する複数の燃料集合体が装荷され、上部ブランケット領域、内部ブランケット領域、下部ブランケット領域、前記上部ブランケット領域と前記内部ブランケットの間に配置されて前記超ウラン核種を含む上部燃料領域及び前記内部ブランケット領域と前記下部ブランケットの間に配置されて前記超ウラン核種を含む下部燃料領域を形成している燃料集合体において、
燃焼度ゼロのとき、前記核燃料物質に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び前記上部燃料領域の高さが前記下部燃料領域の高さよりも、１０ｍｍ以上２５ｍｍの範囲内で高くなっていることを特徴とする燃料集合体。
【請求項１６】
超ウラン核種の複数の同位元素を含む核燃料物質を有し、上部ブランケット領域及び前記上部ブランケット領域の下方に配置されて前記超ウラン核種を含む燃料領域を形成している燃料集合体において、
装荷された燃焼度ゼロの前記燃料集合体は、この燃料集合体に含まれる全ての前記超ウラン核種中に占めるＰｕ−２３９の割合が５％以上４０％未満の範囲内にあり、前記上部ブランケット領域の高さが２０ｍｍ以上１００ｍｍ以下の範囲内にあり、及び前記燃料領域の下端が燃料有効長の下端に一致していることを特徴とする燃料集合体。
【請求項１７】
前記燃料集合体は、内部ブランケット領域、前記上部ブランケット領域と前記内部ブランケットの間に配置されて前記超ウラン核種を含む、前記燃料領域である上部燃料領域及び前記内部ブランケット領域の下方に配置されて前記超ウラン核種を含む、前記燃料領域である下部燃料領域を有しており、
前記上部燃料領域の高さが前記下部燃料領域の高さよりも、１０ｍｍ以上２５ｍｍの範囲内で高くなっている請求項１６に記載の燃料集合体。
【請求項１８】
超ウラン核種の複数の同位元素を含む核燃料物質を有し、上部ブランケット領域、内部ブランケット領域、前記上部ブランケット領域と前記内部ブランケットの間に配置されて前記超ウラン核種を含む上部燃料領域及び前記内部ブランケット領域の下方に配置されて前記超ウラン核種を含む下部燃料領域を形成している燃料集合体において、
装荷された燃焼度ゼロの前記燃料集合体は、この燃料集合体に含まれる全ての前記超ウラン核種中に占めるＰｕ−２３９の割合が５％以上４０％未満の範囲内にあり、前記下部燃料領域の下端が燃料有効長の下端に一致しており、及び前記上部燃料領域の高さが前記下部燃料領域の高さよりも、１０ｍｍ以上２５ｍｍの範囲内で高くなっていることを特徴とする燃料集合体。
【請求項１９】
超ウラン核種の複数の同位元素を含む核燃料物質を有し、上部ブランケット領域、下部ブランケット領域及び前記上部ブランケット領域と前記下部ブランケットの間に配置されて前記超ウラン核種を含む燃料領域を形成している燃料集合体において、
燃焼度ゼロのとき、前記核燃料物質に含まれる全ての前記超ウラン核種中に占めるＰｕ−２３９の割合が４０％以上６０％以下の範囲内にあり、前記下部ブランケット領域の高さが前記上部ブランケット領域のそれよりも高くなっており、及び前記下部ブランケット領域の下方に、中性子吸収材を含む核燃料物質が配置されていることを特徴とする燃料集合体。
【請求項２０】
超ウラン核種の複数の同位元素を含む核燃料物質を有し、上部ブランケット領域及び前記上部ブランケット領域の下方に配置されて前記超ウラン核種を含む燃料領域を形成している燃料集合体において、
装荷された燃焼度ゼロの前記燃料集合体は、この燃料集合体に含まれる全ての前記超ウラン核種中に占めるＰｕ−２３９の割合が５％以上４０％未満の範囲内にあり、前記上部ブランケット領域の高さが２０ｍｍ以上１００ｍｍ以下の範囲内にあり、前記燃料領域の下端が燃料有効長の下端に一致しており、及び前記燃料領域の下端の下方に、中性子吸収材を含む核燃料物質が配置されていることを特徴とする燃料集合体。
【発明の詳細な説明】
【技術分野】
【０００１】
本発明は、軽水炉の炉心及び燃料集合体に係り、特に、沸騰水型原子炉に適用するのに好適な軽水炉の炉心及び燃料集合体に関する。
【背景技術】
【０００２】
多くの同位元素があるアクチニド核種は、軽水炉の炉心内に装荷された燃料集合体内の核燃料物質に含まれた状態で炉心内にて燃焼されるとき、中性子捕獲や核崩壊等の種々の核反応により、同位元素間を順次移行する。アクチニド核種では、共鳴領域及び熱中性子に対して大きな核分裂断面積を有するいわゆる奇数核、及び高速中性子に対してのみ核分裂するいわゆる偶数核が存在するため、一般に燃焼とともに燃料集合体に含まれたアクチニド核種の各同位元素の存在割合が大きく変化する。この存在割合の変化は、炉心内における燃料集合体の装荷位置での中性子エネルギースペクトルに依存することが知られている。
【０００３】
現在の軽水炉は、低濃縮ウランを核燃料として使用している。しかしながら、天然のウラン資源は有限であるので、軽水炉に用いられる燃料集合体を、ウラン濃縮時の残渣である劣化ウランに、軽水炉の使用済み燃料集合体から抽出された超ウラン核種（以下、ＴＲＵという）を富化した核燃料物質を用いるリサイクル型燃料集合体に順次置き換えていく必要がある。商用炉が必要であると予想されるかなり長い期間にわたってＴＲＵは有効な資源としてリサイクルされ、その間、常にＴＲＵの量が増加するかほぼ一定に保たれていることが必要である。現在商用炉の大部分を占めている軽水炉で、核燃料の燃焼を通じて核分裂性Ｐｕ 量が増加またはほぼ一定である増殖炉を実現する技術が、特許文献１に記載されている。特許３４２８１５０号公報及びR．TAKEDA et al., Proc． of International Conference on Evaluation of Emerging Nuclear Fuel Cycle Systems． GLOBAL ’95 Versailles, France, September, 1995, P.938に記載されている増殖炉を実現した軽水炉は、複数の燃料棒を三角格子で稠密に配列した、横断面が六角形をしている複数の燃料集合体を、炉心に配置している。この軽水炉の炉心は、燃料棒の稠密配置によって燃料棒周りの水の量を少なくして共鳴及び高速エネルギー中性子の割合を増やすとともに、ＴＲＵの混合酸化物燃料領域の高さを低くしてその上下に劣化ウランのブランケット領域を配置し、安全基準である負のボイド係数を維持している。その炉心は、G. A. Ducat et al., “EVALUATION OF THE PARFAIT BLANKET CONCEPT FOR FAST BREEDER REACTORS”, MITNE-157, January, 1974に記載されたパッフェ型炉心の概念を適用して炉心部を二段重ねとして経済性を確保しつつ、増殖比を１以上にしている。
【０００４】
ＴＲＵをリサイクルするためには使用済み燃料の再処理が不可欠である。しかしながら、民生用のＴＲＵが大量破壊兵器に転用される恐れから核不拡散に対する要求がますます厳しくなり、ＴＲＵリサイクル時の制約が厳しくなってきている。
【０００５】
また、将来のいつの日かに、核分裂炉に代わるより優れた発電システムが実用化されるときが必ず来るので、その時にはＴＲＵは濃縮ウランに相当するきわめて有用な核燃料から厄介ものの長寿命廃棄物に成り下がることになる。したがって、ＴＲＵの処分方法を準備することが原子力開発の最重要課題になっている。
R.TAKEDA et al., Proc. of International Conference on Advanced Nuclear Fuel Cycles and Systems. GLOBAL ’07 Boise, USA, September, 2007, P.1725には、使用済み核燃料を再処理して得られたＴＲＵを新たな核燃料として再利用するリサイクルを繰り返し行う多重イサイクルを実現するために、ＴＲＵの各同位元素の存在割合をほぼ一定に保ってＴＲＵをリサイクルする軽水増殖炉及びＴＲＵ消滅炉を提案している。この軽水増殖炉は、ＴＲＵ量を一定に保持しもしくは増加する状態でリサイクルし、高燃焼度化及び核拡散抵抗性を高めた燃料集合体を装荷した炉心を有している。ＴＲＵ消滅炉は、軽水炉がその使命を終えたときにＴＲＵが超寿命放射性廃棄物になることを避けるために、ＴＲＵを核分裂で減少させながらＴＲＵを順次集約し、最後の一炉心分を除いて全てのＴＲＵを核分裂させる原子炉である。
【０００６】
【特許文献１】特許３４２８１５０号公報
【非特許文献１】R．TAKEDA et al., Proc. of International Conference on Evaluation of Emerging Nuclear Fuel Cycle Systems． GLOBAL ’95 Versailles, France, September, 1995, P.938
【非特許文献２】G. A. Ducat et al., “EVALUATION OF THE PARFAIT BLANKET CONCEPT FOR FAST BREEDER REACTORS”, MITNE-157, January, 1974
【非特許文献３】R.TAKEDA et al., Proc. of International Conference on Advanced Nuclear Fuel Cycles and Systems. GLOBAL ’07 Boise, USA, September, 2007, P.1725
【発明の開示】
【発明が解決しようとする課題】
【０００７】
R．TAKEDA et al., Proc. of International Conference on Evaluation of Emerging Nuclear Fuel Cycle Systems． GLOBAL ’95 Versailles, France, September, 1995, P.938に記載されているＴＲＵをリサイクルする軽水炉では、異常な過渡変化及び事故等の設計基準を満たすために十分な安全余裕を持ってＴＲＵ量を一定に保ってシード燃料として有効利用し、すべての劣化ウランを燃焼させることにより、エネルギー長期安定供給を実現し、核分裂炉がその使命を終えてＴＲＵが不要になったときにＴＲＵを全て核分裂させてＴＲＵが超寿命廃棄物になることを防ぐことが出来るリサイクル炉が実現可能となった。一方、近年、安全に対する考え方をますます厳しくする動きがあり、例えば何らかの原因で炉心流量が急激に低下した時に制御棒全数挿入不能という複合事象時等の設計基準の枠外の事故（Anticipated Transient Without Scram（ＡＴＷＳ）:スクラムなしの過渡事象）にも十分対応できる安全余裕を持つ、より安全ポテンシャルが高い炉心が求められている。
【０００８】
本発明の目的は、軽水炉の経済性を損なうことなく安全余裕をさらに増大させることが可能な軽水炉の炉心及び燃料集合体を提供することにある。
【課題を解決するための手段】
【０００９】
上記した目的を達成する本発明の特徴は、装荷された燃焼度ゼロの燃料集合体は、この燃料集合体に含まれる全ての超ウラン核種中に占めるＰｕ−２３９の割合が４０％以上６０％以下の範囲内にあり、下部ブランケット領域の高さと上部ブランケット領域の高さの和が２５０ｍｍ以上６００ｍｍ以下の範囲内にあり、及び下部ブランケット領域の高さが上部ブランケット領域の高さの１．６倍以上１２倍以下の範囲内にあることにある。
【００１０】
このような本発明によれば、軽水炉の運転中に何らかの原因で炉心流量が急激に低下し、且つ、全ての制御棒が作動しない設計基準を超える複合事象が発生した場合でも、安全余裕を十分に確保することができる。そのような複合事象が発生した場合には、炉心内のボイド率が急激に上昇し若干サブクール状態で炉心下方から炉心に流入している冷却材の沸騰開始点が炉心の下端側へ移行し、炉心軸方向の出力分布が炉心の下端側へシフトする。このため、炉心の下端にシフトしてくる余分な中性子を、上端が炉心の下端付近に位置している、安全棒の中性子吸収材充填領域内の中性子吸収材によって炉心の下端にシフトしてくる余分な中性子を吸収することができる。この結果、非常用高圧炉心注水系から供給が可能な冷却材の容量によって炉心内の燃料集合体を冷却できる出力まで自動的に出力を低下させることができ、設計基準を超える複合事象時においても十分な安全ポテンシャルを保つことができる。このように本発明は、軽水炉の経済性を損なうことなく上記の複合事象が生じた場合でも安全余裕を向上させることができる。
【００１１】
装荷された燃焼度ゼロの前記燃料集合体は、この燃料集合体に含まれる全ての超ウラン核種中に占めるＰｕ−２３９の割合が５％以上４０％未満の範囲内にあり、上部ブランケット領域の高さが２０ｍｍ以上１００ｍｍ以下の範囲内にあり、燃料領域の下端が炉心の下端に一致していることによっても、上記の目的を達成することができる。
【発明の効果】
【００１２】
本発明によれば、軽水炉の経済性を損なうことなく安全余裕をさらに増大させることが可能になる。
【発明を実施するための最良の形態】
【００１３】
ＢＷＲの炉心内の燃料集合体を冷却する冷却水（冷却材）は、１０℃程度のサブクール水として下方より炉心に流入し、燃料集合体を冷却しながら飽和水、及び蒸気と水の二相流になる。この冷却水は、炉心の出口では６０から８０％程度のボイド体積率を有する二相流になっている。したがって、中性子の減速に大きく寄与する水素原子の炉心軸方向の分布は、炉心の下部から上部に行くにしたがって減少する。このため、軸方向に一領域の濃縮度分布を有する燃料集合体をＢＷＲの炉心に装荷した場合、炉心の下部領域に大きな出力ピークが形成される。何らかの原因で炉心の冷却水流量が低下した場合には、冷却水の沸騰開始点が、定格出力及び定格流量で原子炉が運転されている場合よりさらに下方に向かって移動し、出力ピークもさらに炉心下方に移動する。
【００１４】
発明者らは、上記したＢＷＲの炉心の特徴を十分考慮し、再処理で得られた核燃料物質を含んでおり、且つ燃焼度ゼロの時点で含まれている全てのＴＲＵ中に占めるＰｕ−２３９の割合が４０％以上６０％以下の範囲にある複数の燃料集合体が装荷されている軽水炉の炉心では、炉心下端付近に制御棒の中性子吸収材充填領域の上端を配置した場合に、（１）炉心の上部ブランケット領域の高さ厚さと下部ブランケット領域の高さの和が２５０ｍｍ以上６００ｍｍ以下の範囲内で、且つ下部ブランケット領域の高さを上部ブランケット領域のそれの１．６倍以上１２倍以下の範囲内にする、（２）下部ブランケット領域の高さを上部ブランケット領域のそれよりも高くし、且つ上部ブランケットの高さを３０ｍｍ以上１０５ｍｍ以下の範囲内にする、及び（３）下部ブランケット領域の高さを上部ブランケット領域のそれよりも高くし、且つ炉心のＰｕを含む上部燃料領域の高さがＰｕを含む下部燃料領域の高さよりも１０ｍｍ以上２５ｍｍ以下の範囲内で高くする、のいずれかの構成を適用することによって、軽水炉の経済性を損なうことなく安全余裕をさらに増大させることができることを新たに見出した。すなわち、（１）、（２）及び（３）のいずれかの構成を適用することによって、何らかの原因で炉心内の冷却材が喪失し、さらに、何らかの原因で全ての制御棒の炉心への挿入が不可能になるような設計基準を超えた複合事象が生じたときであっても、炉心に供給される冷却材の流量（炉心流量）が急激に減少したときに炉心内のボイド率が急激に上昇すると共に炉心の軸方向の出力分布が、中性子吸収材が配置された炉心下端側にシフトし、炉心内の余剰の中性子が自動的に中性子吸収材に吸収される。このため、非常時に自動的に起動される非常用高圧炉心注水系によって炉心に供給される冷却材流量で冷却可能な原子炉出力まで自動的に原子炉出力が低下される。このように、発明者らは、（１）、（２）及び（３）のいずれかの構成を適用することによって、安全ポテンシャルがさらに高くなる軽水炉の炉心を提供できることを新たに見出した。また、上記のような安全余裕の増大は、（４）下部ブランケット領域の高さを上部ブランケット領域のそれよりも高くし、且つ事故時に発生する余剰中性子が集まる位置に中性子吸収物質を配置することによっても達成できることを、発明者らは見出した。
【００１５】
（１）、（２）、（３）及び（４）のうちの幾つかの構成を組み合せることによって、安全余裕をさらに向上させることができる。例えば、（１）に（２）を組み合せた場合には（１）単独よりも安全余裕がさらに高くなり、（１）及び（２）の組み合せに（３）をさらに組み合せた場合には（１）及び（２）の組み合せよりも安全余裕がさらに向上する。これらは、（２）を含む他の２つの構成の組み合せ、（３）を含む他の２つの構成の組み合せ、及び（４）を含む他の２つの構成の組み合せに対しても言えることである。また、（１）、（２）及び（３）の組み合せに（４）をさらに組み合せた場合には、（１）から（４）の各構成を含む幾つかの組み合せのうちで最も安全余裕が大きくなる。
【００１６】
さらに、発明者らは、再処理で得られた核燃料物質を含んでおり、且つ燃焼度ゼロの時点で含まれている全てのＴＲＵ中に占めるＰｕ−２３９の割合が５％以上４０％未満の範囲にある複数の燃料集合体が装荷されている軽水炉の炉心では、炉心下端付近に制御棒の中性子吸収材充填領域の上端を配置した場合に、（５）炉心内の燃料領域の下端が炉心の下端の位置に一致しており、且つ上部ブランケット領域の高さが２０ｍｍ以上１００ｍｍ以下の範囲内にする、及び（６）上部ブランケット領域を有しており、且つ炉心の上部燃料領域の高さが下部燃料領域の高さよりも１０ｍｍ以上２５ｍｍ以下の範囲内で高くする、のいずれかの構成を適用することによっても、ＴＲＵの多重リサイクルの設計目標の性能及び経済性を損なうことなく安全余裕をさらに増大させることができることを新たに見出した。（５）の構成に（６）の構成を組み合せることによって、（５）の構成または（６）の構成を単独で備えた軽水炉の炉心に比べて安全余裕がさらに向上する。
【００１７】
本発明は、再処理によって得られたＴＲＵを含む核燃料物質を利用するリサイクル型軽水炉の安全性向上をめざしたものである。このような本発明は、特許３４２８１５０号公報に示す軽水炉で増殖炉（軽水増殖炉）としての性能を向上させる場合、及び不要になったときに長寿命放射性廃棄物として処分することが検討されているＴＲＵを核燃料物質として利用しつつ最後に一つの炉心分のＴＲＵ以外のＴＲＵをすべて核分裂させる場合において、設計基準を超えた多重事故時においても安全性を保って、ＴＲＵの多重リサイクルを継続することを可能にするために成されたものである。
【００１８】
増殖炉としての性能を向上させた軽水炉の炉心について説明する。例えば、ＢＷＲで核分裂性Ｐｕの残存比が１以上になる軽水増殖炉は、特許３４２８１５０号公報で初めて実現された。軽水炉で増殖炉を実現するためには、炉心内の中性子のエネルギーを高く保つ必要がある。しかし、増殖炉で、通常、冷却材として使用されるＮａに比べて、軽水炉で冷却材として用いられる水を形成している水素原子の質量が小さいため、中性子が一回の衝突で失うエネルギーが大きく、核燃料物資の単位体積あたりの冷却材の割合を小さくする必要がある。全てのＴＲＵ中に占めるＰｕ−２３９の割合が６０％よりも大きな範囲にある核燃料物質でリサイクルを行った場合には、（ａ）炉心内の核燃料物質に対する冷却能力が不足する、（ｂ）燃料集合体の燃焼度が低くなって燃料経済性が損なわれる、及び（ｃ）燃料集合体を構成する燃料棒間隙が狭くなりすぎて燃料集合体の製作が困難になる、等の不都合が生じる。全てのＴＲＵ中に占めるＰｕ−２３９の割合が４０％未満になっている核燃料物質でリサイクルした場合には、（ｄ）核分裂断面積が大きい奇数核種の割合が、核分裂断面積の小さい偶数核種のそれに比べて小さくなって、核分裂性Ｐｕの残存比１以上を実現することが困難になる、及び（ｅ）炉心が大きくなって安全性の指標であるボイド係数が悪化する、等の不都合が生じる。したがって、軽水増殖炉では、全ＴＲＵ中に含まれるＰｕ−２３９の割合を４０％以上６０％以下の範囲内にする必要がある。
【００１９】
次に、不要になったときに長寿命放射性廃棄物として処分することが検討されているＴＲＵを核燃料物質として利用しつつ最後に一つの炉心分のＴＲＵ以外のＴＲＵをすべて核分裂させることを実現する軽水炉（ＴＲＵ消滅炉）の炉心について説明する。発明者らは、ＴＲＵが不要になった場合には、ＴＲＵを核分裂させて減少させ、減少量に応じて多くの炉心に分散されていたＴＲＵを集約し、最後は一つの炉心にのみＴＲＵが残されるようにすることを考えた。このとき、ＴＲＵが超寿命廃棄物になることを防ぐために、全ＴＲＵ中に含まれるＰｕ−２３９の割合が４０％以上の状態で核燃料物質をリサイクルする場合には、ＴＲＵが減少する速度が遅くＴＲＵを一つの炉心に集約するのに時間がかかりすぎる。また、全ＴＲＵ中に占めるＰｕ−２３９の割合が５％未満の核燃料物質を用いてリサイクルした場合には炉心が大きくなってボイド係数が悪化する。したがって、ＴＲＵ消滅炉では、全ＴＲＵ中に含まれるＰｕ−２３９の割合を５％以上４０％未満の範囲にする必要がある。
【００２０】
ここで、パッフェ型炉心の概要について説明する。パッフェ型炉心は、装荷される新燃料集合体（燃焼度がゼロ）として、下端部から上端部に向かって下部ブランケット領域、下部燃料領域、内部ブランケット領域、上部燃料領域及び上部ブランケット領域をこの順で配置した燃料集合体を用いている。このため、パッフェ型炉心も、下端部から上端部に向かって下部ブランケット領域、下部燃料領域、内部ブランケット領域、上部燃料領域及び上部ブランケット領域が形成される。下部燃料領域及び上部燃料領域は、ＴＲＵ酸化物燃料（またはＴＲＵ酸化物とウラン酸化物の混合酸化物燃料）を含んでいる。
【００２１】
本発明は、上記したリサイクル型の軽水炉及び軽水炉の炉心を対象としている。以下に、発明者らの検討結果を説明する。
【００２２】
まず、軽水増殖炉の炉心を対象とした発明者らの検討結果を以下に説明する。軽水増殖炉の炉心の例である、電気出力が１３５０ＭＷで、炉心に装荷されている７２０体の燃料集合体及び燃料集合体当り２７１本の燃料棒を有する増殖比１．０１のＢＷＲ炉心を対象にして説明する。
【００２３】
このＢＷＲ炉心は、特許３４２８１５０号公報及びR．TAKEDA et al., Proc. of International Conference on Evaluation of Emerging Nuclear Fuel Cycle Systems． GLOBAL ’95 Versailles, France, September, 1995, P.938及びR．TAKEDA et al., Proc. of International Conference on Advanced Nuclear Fuel Cycles and Systems. GLOBAL ’07 Boise, USA, September, 2007, P.1725に記載されている炉心では設計基準内の異常な過渡変化及び事故に対しては十分安全に対応できるが、現在設計基準外とされている、何らかの原因で炉心流量が急激に減少した場合で、さらに、全ての制御棒が作動しない等の複合事象が生じたときには、必ずしも十分に対応できず、場合によってはＴＲＵのリサイクルを途中で中止せざるを得なくなる可能性もある。すなわち、多重リサイクルの継続が不可能になる場合がある。
【００２４】
上記のＢＷＲ炉心で安全ポテンシャルを十分保ちながらＴＲＵのリサイクルを続けるためには、ボイド係数を所定の範囲に保つ必要がある。発明者らは、再処理で得られた核燃料物質を含んでおり且つ燃焼度ゼロの時点で含まれる全てのＴＲＵ中に占めるＰｕ−２３９の割合が４０％以上６０％以下の範囲にある複数の燃料集合体が装荷される、下部及び上部ブランケット領域を有する軽水炉の炉心を対象に、安全余裕の向上策について検討を行った。この検討の結果、発明者らは、ＢＷＲ固有の機能である何らかの原因で炉心流量が急激に低下したとき、炉心内のボイド率が急激に上昇し、且つ若干サブクール状態になって下方から炉心に流入する冷却材の沸騰開始点が炉心の下端側に移行することにより、炉心の軸方向の出力分布が炉心の下端側にシフトするので、炉心下端付近に中性子吸収物質を配置することにより多重事故時においても十分な安全ポテンシャルを保つことができ、結果的にＴＲＵの多重リサイクルが実現できることを新たに見出したのである。この知見に基づいて、前述の（１）、（２）、（３）及び（４）のいずれかにより、ＴＲＵの増殖比を保ちつつ安全ポテンシャルを高めることが出来るという新たな知見が発明者らによって見出された。対象とする軽水炉の炉心では、制御棒が下方より炉心内に挿入される。
【００２５】
図１において、核分裂性Ｐｕの増倍比が１.０１である炉心の定格出力運転時での炉心軸方向の平均出力分布を特性１で表し、炉心流量が非常用高圧炉心注水系の冷却材流量である４ｋｔ/hまで低下した場合における炉心軸方向の平均出力分布を特性２で表している。図２では、特性１に対応した炉心軸方向の平均ボイド率分布を特性３で表し、特性２に対応した炉心軸方向の平均ボイド率分布を特性４で表している。炉心流量が定格の２１ｋトン／ｈから４kトン／ｈに急激に低下することによりボイド率分布が、特性３から特性４に急激に高くなり、これに併せて沸騰開始点も炉心の下端側に移行する。このため、炉心軸方向の出力分布も、特性１から特性２のように、炉心の下端側にシフトする。ここまで極端に炉心流量が低下すると、炉心下部の反射体（冷却水）に大きな出力ピークが発生して正の反応度が炉心に投入される場合がある。特許３４２８１５０号公報及びR．TAKEDA et al., Proc. of International Conference on Evaluation of Emerging Nuclear Fuel Cycle Systems．GLOBAL ’95 Versailles, France, September, 1995, P.938及びR.TAKEDA et al., Proc. of International Conference on Advanced Nuclear Fuel Cycles and Systems. GLOBAL ’07 Boise, USA, September, 2007, P.1725に記載されている炉心では、炉心高さが２ｍ以下である比較的炉心高さが低い炉心において通常行われているように、定格出力運転時には炉心から引き抜かれている制御棒の一種である安全棒は、炉心に負の反応度を投入する影響を与えない位置（炉心の下端から２０ｃｍ〜３０ｃｍ下方の位置）まで引き抜かれた状態で待機している。この状態での炉心軸方向の熱中性子束分布を、図３において特性５で示している。そこで、原子炉の運転時には上記したように炉心の下端よりも下方に引き抜かれている安全棒の中性子吸収材充填領域の上端を炉心の下端に位置させ、この安全棒によって、炉心流量が急激に減少したときに炉心の下部にシフトしてくる余分な中性子を吸収する。このときの炉心軸方向の熱中性子束分布を、図３において特性６で示している。しかしながら、炉心の下端に安全棒の上端を位置させると炉心の反応度が低下する。
【００２６】
反応度の不足を解消する対策案として、燃料領域の高さを高くすることが考えられる。しかし、この対策案では、燃料領域の単位体積あたりのブランケット領域の体積割合が低下して核分裂性Ｐｕ増倍比が低下し、核分裂性Ｐｕ増倍比の設計目標が満たされなくなる。核分裂性Ｐｕ増倍比を高めるためには、炉心内の上部及び下部ブラケット領域のそれぞれの高さをさらに高くする必要がある。これらの領域の高さの増加は、炉心軸方向の中性子漏洩割合の低下をもたらし、安全上の重要な指標であるボイド係数を悪化させる。
【００２７】
再処理で得られた核燃料物質を含んでおり且つ燃焼度ゼロの時点で含まれる全てのＴＲＵ中に占めるＰｕ−２３９の割合が４０％以上６０％以下の範囲にある複数の燃料集合体が装荷される軽水炉の炉心を対象にして行った発明者らの検討の結果、炉心の下端付近に中性子吸収物質を配置したとき、上部ブランケット領域の高さを低くして下部ブランケット領域の高さを高くすることによって、ボイド係数の悪化が避けられることが分かった。軽水増殖炉において、上記した炉心の下端付近とは、炉心の下端とこの下端から下方に、例えば、５ｍｍ下がった位置の間を言い、炉心に下部ブランケット領域が形成される場合にはこの下部ブランケット領域内もその下端付近に含まれる。下部ブランケット領域の高さを上部ブランケット領域のそれよりも高くする、すなわち、上部及び下部ブランケット領域のそれぞれの高さの和を２５０ｍｍ以上にし、且つ下部ブランケット領域の高さを上部ブランケット領域のそれの１．６倍以上にすることによって、図４に示すように、全ての制約条件を満たして増殖比１．０１を維持しつつ何らかの原因で炉心流量が大幅に低下したときに全ての制御棒が作動しないという設計基準を超える複合事象時においても、非常用高圧炉心注水系から炉心に供給できる冷却材の容量で炉心内の燃料集合体を冷却できる出力まで自動的に出力を低下させることができる。このため、再処理で得られた核燃料物質を含んでおり且つ燃焼度ゼロの時点で含まれる全ＴＲＵ中に占めるＰｕ−２３９の割合が４０％以上６０％以下の範囲内にある燃料集合体が装荷された軽水炉の炉心において、安全余裕を向上させることができる。上部及び下部ブランケット領域のそれぞれの高さの和が６００ｍｍを超えた場合、あるいは下部ブランケット領域の高さが上部ブランケット領域のそれの１２倍より大きくなる場合には、炉心から取り出される使用済燃料集合体内に存在する核燃料物質中の全ＴＲＵに含まれるＰｕ−２３９の割合が、燃焼度ゼロの新燃料集合体に含まれるその割合よりも高くなる。このため、これらの値を同程度に保つために炉心流量を増加させた場合には、炉心の圧力損失が設計基準を超えるので、燃料集合体の構造設計が困難になる。したがって、上部及び下部ブランケット領域のそれぞれの高さの和は２５０ｍｍから６００ｍｍの範囲内に含まれるようにする。
【００２８】
図５は、核分裂性Ｐｕ増倍比が１.０１である軽水炉の炉心で上部ブランケット領域の高さを変化させたときのボイド係数の変化を特性３１で示し、上部ブランケット領域の高さに対する下部ブランケット領域の高さの比を特性３２で示している。図５に示すように、上部ブランケット領域の高さが１０５ｍｍ以下で、下部ブランケット領域の高さが上部ブランケット領域の高さの１．６倍以上になり、ボイド係数が−２×１０−４Δk/k/%voidより負になることが分かった。ボイド係数の負の絶対値を大きくすることで、炉心流量が大幅に低下し、すなわち炉心内のボイド゛率が大幅に上昇し、且つ、全ての制御棒が作動しない設計基準を超える複合事象時においても非常用高圧炉心注水系の冷却材供給容量によって燃料集合体を冷却できる出力まで自動的に出力が低下する。上部ブランケット領域の高さを３０ｍｍ未満にした場合には、上部反射体中の熱中性子束の影響を大きく受けて上部ブランケット領域の上端近くに位置する燃料ペレットの出力が、その設計基準を超えてしまう。したがって、上部ブランケット領域の高さは３０ｍｍ以上１０５ｍｍ以下の範囲内に設定する。
【００２９】
図６には、上部ブランケット領域の高さを変化させたときにおける上部及び下部ブランケット領域のそれぞれの高さの和を特性３３で示している。上部ブランケット領域の高さを１０５ｍｍ以下にすることによって、上部及び下部ブランケット領域のそれぞれの高さの和が２５０ｍｍ以上になることが分かった。また、安全棒の中性子吸収材充填領域の上端を炉心下端付近に位置させて原子炉を運転した場合には、安全棒に含まれる中性子吸収材であるのボロン−１０が早くなくなる可能性がある。このため、場合によっては、各燃料集合体に含まれる燃料棒内において、下部ブランケット領域の下方に、ボロン，ガドリニア，Ｄｙ，Ｓｍ，Ｅｕ等の中性子吸収物質を含んだペレットを配置することも有効である。
【００３０】
下部ブランケット領域の高さを上部ブランケット領域のそれよりも高くし、且つ炉心のＴＲＵを含む上部燃料領域の高さがＴＲＵを含む下部燃料領域の高さよりも１０ｍｍ以上２５ｍｍ以下の範囲内で高くしている。上部燃料領域の高さを下部燃料領域の高さよりも１０ｍｍ以上高くすることによって、前述の複合事象が発生した場合でも、炉心の安全余裕を向上させることができる。上部燃料領域の高さを下部燃料領域の高さよりも２５ｍｍを超えて高くした場合には、上部燃料領域の出力が高くなりすぎ、出力の設計基準を超えてしまう。
【００３１】
次に、R．TAKEDA et al., Proc. of International Conference on Advanced Nuclear Fuel Cycles and Systems. GLOBAL ’07 Boise, USA, September, 2007, P.1725に記載されているＴＲＵ消滅炉の炉心を対象とした発明者らの検討結果について説明する。ＴＲＵ消滅炉の炉心の例である、電気出力が１３５０ＭＷで、燃料集合体１体当り３９７本の燃料棒を有する７２０体の燃料集合体が装荷されている他のＢＷＲ炉心を対象にして説明する。
【００３２】
ＴＲＵを減少させる目的でＴＲＵのリサイクルを繰り返す場合、すなわち、再処理で得られた核燃料物質を含んでおり且つ燃焼度ゼロの時点で含まれる全ＴＲＵ中に占めるＰｕ−２３９の割合が５％以上４０％未満の範囲内にある燃料集合体の炉心への装荷を、運転サイクルごとに繰り返す場合は、炉心下部の反射体領域に存在する水を形成する水素原子の中性子減速効果により、炉心から漏れ出した高速中性子が減速されて熱中性子の大きな出力ピークが発生する。中性子流連続の条件により炉心内で隣接している燃料集合体のそれぞれの下部燃料領域の下端近くに位置する各燃料ペレットの出力が設計基準の値を超える不具合を防ぐために、R．TAKEDA et al., Proc. of International Conference on Advanced Nuclear Fuel Cycles and Systems. GLOBAL ’07 Boise, USA, September, 2007, P.1725に記載されているＴＲＵ消滅炉においては、下部燃料領域の下方に２０ｍｍ程度の高さの下部ブランケット領域を付設している。発明者らが見出した上記の安全ポテンシャルを高める前述の（５）及び（６）のいずれかの方法を適用して、炉心下端付近に制御棒の中性子吸収材充填領域の上端を位置させることによって、その下端付近の反射体（冷却水）内での熱中性子の出力ピークの発生を抑えられるので炉心の下部に下部ブランケット領域を設ける必要がなくなる。すなわち、燃料領域、特に、下部燃料領域の下端が炉心の下端の位置と一致している。ＴＲＵ消滅炉において、制御棒の中性子吸収材充填領域の上端を位置させる上記した炉心の下端付近とは、炉心の下端とこの下端から下方に、例えば、５ｍｍ下がった位置の間を言う。
【００３３】
図７には、定格出力運転時の炉心軸方向の平均出力分布が特性１１で示され、炉心流量が非常用高圧炉心注水系で供給可能な冷却水の流量である４ｋｔ/hまで低下した場合での炉心軸方向の平均出力分布が特性１２で示される。図８では、特性１１に対応した炉心軸方向の平均ボイド率分布を特性１３で示し、特性１２に対応した炉心軸方向の平均ボイド率分布を特性１４で示している。炉心流量が定格の２０ｋトン／ｈから４ｋトン／ｈに急激に低下することによって炉心軸方向の平均ボイド率分布が図８に示す特性１３から特性１４に急激に増加する。これに併せて沸騰開始点も炉心の下端側に移行することにより炉心軸方向の出力分布も、図７に示す特性１１から特性１２にシフトされる。ここまで極端に炉心流量が低下すると、炉心下部の反射体に大きな出力ピークが発生して正の反応度が炉心に投入される場合がある。炉心高さが２ｍ以下である比較的炉心高さが低い炉心において通常行われているように、定格出力運転時には炉心から引き抜かれている安全棒は、炉心に負の反応度を投入する影響を与えない位置（炉心の下端から３０ｃｍ下方の位置）まで引き抜かれた状態で待機している。炉心下端付近に安全棒の中性子吸収材充填領域が配置されていない状態で高さ２０ｍｍの下部ブランケット領域を設けた炉心において、炉心軸方向の熱中性子束分布を、図９において特性１５で示している。そこで、原子炉の運転時には炉心の下端よりも下方に引き抜かれている安全棒の中性子吸収材充填領域の上端を炉心下端に位置させたときに炉心流量が急激に減少した場合には、炉心の下部にシフトしてくる余分な中性子をその安全棒で吸収することができる。このときにおける炉心軸方向の熱中性子束分布を、図９において特性１６で示している。図１０に示すように、何らかの原因で炉心流量が大幅に低下したときに全ての制御棒が作動しない設計基準を超える複合事象時においても、非常用炉心注水系から炉心に供給できる冷却材の容量で炉心内の燃料集合体を冷却できる出力まで自動的に出力を低下させることができる。このため、再処理で得られた核燃料物質を含んでおり且つ燃焼度ゼロの時点で含まれる全ＴＲＵ中に占めるＰｕ−２３９の割合が５％以上４０％未満の範囲内にある燃料集合体が装荷された軽水炉の炉心において、安全余裕を向上させることができる。
【００３４】
ＴＲＵ消滅炉の炉心では、上部ブランケット領域の高さを１００ｍｍ以下にすることによってその炉心の安全余裕を向上させることができる。しかしながら、上部ブランケット領域の高さが２０ｍｍ未満になった場合には、軽水増殖炉の場合と同様に、上部反射体中の熱中性子束の影響を大きく受けて上部ブランケット領域の上端近くに位置する燃料ペレットの出力が、その設計基準を超えてしまう。したがって、上部ブランケット領域の高さは２０ｍｍ以上１００ｍｍ以下の範囲内に設定する。
【００３５】
ＴＲＵ消滅炉の炉心で、上部燃料領域の高さが下部燃料領域の高さよりも１０ｍｍ以上２５ｍｍ以下の範囲内で高くしている理由は、軽水増殖炉でそれらの値を設定している理由と同じである。
【００３６】
以下、本発明の実施例を、図面を用いて詳細に説明する。
【実施例１】
【００３７】
本発明の好適な一実施例である実施例１の軽水炉の炉心を、図１１〜図１９及び表１を用いて以下に詳細に説明する。
【００３８】
【表１】
2010038852.tif 000003
【００３９】
本実施例の軽水炉の炉心２０は、電気出力１３５０ＭＷ用の炉心であるが、出力規模はこれに限定されるものではない。炉心２０に装荷された燃料集合体の体数を変更することによって、本実施例が適用できる他の出力規模の炉心を実現することができる。
【００４０】
本実施例の炉心２０が適用される電気出力１３５０ＭＷ用の軽水炉であるＢＷＲの概要を、図１１に基づいて説明する。ＢＷＲ１９は、原子炉圧力容器２７内に、炉心２０、気水分離器２１、蒸気乾燥器２２を配置している。炉心２０は、パッフェ型炉心であり、原子炉圧力容器２７内で炉心シュラウド２５によって取り囲まれている。複数の制御棒２が炉心２０に挿入可能な位置に配置されている。これらの制御棒２は下方より炉心２０に挿入される。気水分離器２１は炉心２０の上方に配置され、蒸気乾燥器２２は気水分離器２１の上方に配置される。複数のインターナルポンプ２６が原子炉圧力容器２７の底部に設置され、インターナルポンプ２６のインペラが原子炉圧力容器２７と炉心シュラウド２５との間に形成されるダウンカマ内に配置される。主蒸気配管２３及び給水配管２４が原子炉圧力容器２７に接続される。ＢＷＲ１９には何らかの原因で炉心に供給される冷却材が喪失した場合の非常用炉心冷却系として低圧炉心注水系３１と高圧炉心注水系３２を備えている。炉心２０には、図１２に示すように、７２０体の燃料集合体１が装荷されている。３体の燃料集合体１に１本の割合でＹ字型の制御棒２が設けられ、２２３本の制御棒２が配置されている。２２３本の制御棒２の約１／６が、運転中のＢＷＲ１９の炉心２０内に挿入したり引き抜いたりすることにより原子炉の出力を調整する制御棒（出力調整用制御棒）であり、残り約５／６が、運転中のＢＷＲ１９の炉心２０から引き抜かれた状態で、原子炉を停止するときに炉心２０内に挿入される制御棒２（以下、安全棒という）である。燃料集合体１は、燃料有効長の部分に、その上端から下端に向かって、上部ブランケット領域５、上部燃料領域６、内部ブランケット領域７、下部燃料領域８及び下部ブランケット領域９の５つの領域を順次形成している（図１７参照）。複数の燃料集合体１が装荷された炉心２０は、上端から下端に向って、上部ブランケット領域５によって形成される上部ブランケット領域５Ａ、上部燃料領域６によって形成される上部燃料領域６Ａ、内部ブランケット領域７によって形成される内部ブランケット領域７Ａ、下部燃料領域８によって形成される下部燃料領域８Ａ及び下部ブランケット領域９によって形成される下部ブランケット領域９Ａの５つの領域を順次配置している。領域５Ａ，６Ａ，７Ａ，８Ａ及び９Ａは、炉心２０の軸方向において、燃料集合体１のそれぞれの領域５，６，７，８及び９と同じ位置に位置している。
【００４１】
燃料集合体１は、図１３に示すように、六角形の筒であるチャンネルボックス４内に、直径１０．１ｍｍの２７１本の燃料棒３を正三角形格子に配置している。燃料集合体１の横断面の形状は六角形をしており、燃料集合体１に含まれた複数の燃料棒３の相互間の間隙が１．３ｍｍである。核燃料物質によって構成された複数の燃料ペレット（図示せず）が、軸方向に並ぶように、各燃料棒３の被覆管３６内に配置されている。最外層の燃料棒列には９本の燃料棒３が配置される。燃料棒３は、図１４に示すように、下端部を下部端栓３３で上端部を上部端栓３５でそれぞれ密封した被覆管３６内に、再処理で得られた核燃料物質を用いて作成された複数の燃料ペレットを充填している。燃料有効長１４が、これらの燃料ペレットが充填されている領域である。ガスプレナム３４が密封された被覆管３６内で燃料有効長１４の上端と上部端栓３５の間に形成される。それぞれの燃料棒３の燃料有効長１４に、上記した上部ブランケット領域５、上部燃料領域６、内部ブランケット領域７、下部燃料領域８及び下部ブランケット領域９の５つの領域を上端から下端に向って順次形成している。
【００４２】
横断面がＹ字型の制御棒２は、中心に位置するタイロッドから外側に向かって伸びる３枚の翼を有する。各翼は、中性子吸収材であるＢ４Ｃ が充填された複数の中性子吸収棒を備えており、タイロッドの周囲に１２０度の間隔を持って配置される。制御棒２は、軽水より減速能が小さい物質である炭素で構成されたフォロアー部１６を、炉心２０に最初に挿入される挿入端部に設けている。制御棒２内でフォロアー部１６の下方には、それぞれの中性子吸収棒内に充填された中性子吸収材によって形成される中性子吸収材充填領域１５が存在する（図１４参照）。
【００４３】
ＢＷＲ１９が定格出力で運転されているとき、全引き抜き状態となっている制御棒２である安全棒は、中性子吸収材充填領域１５の上端が燃料棒３の燃料有効長１４の下端に位置するように、炉心２０から引き抜かれている（図１４参照）。
【００４４】
ＢＷＲ１９が運転されているとき、インターナルポンプ（冷却材供給装置）２６の回転によってダウンカマ内の冷却材が加圧されて炉心２０に供給される。炉心２０内に供給された冷却材は、各燃料集合体１内に導かれ、核分裂性物質の核分裂によって発生する熱で加熱されて一部が蒸気になる。気液二相流状態の冷却材は、炉心２０から気水分離器２１に導かれて蒸気が分離される。分離された蒸気は、蒸気乾燥器２２によって水分がさらに除去される。水分が除去された蒸気は、主蒸気配管２３を通ってタービン（図示せず）に供給され、タービンが回転される。タービンに連結された発電機（図示せず）が回転され、電力が発生する。タービンから排出された蒸気は、復水器（図示せず）で凝縮されて凝縮水となる。この凝縮水（給水）は、給水配管２４を通って原子炉圧力容器２７内に導かれる。気水分離器２２で分離された液体の冷却材は、ダウンカマ内で上記の給水と混合され、再び、インターナルポンプ２６で加圧される。ＢＷＲ１９の定格流量は２２ｋトン／ｈである。
【００４５】
平衡炉心の状態にある炉心２０内での燃料集合体１の配置を、図１５を用いて説明する。炉内滞在期間が最も長い、運転サイクル５サイクル目の燃料集合体１Ｅが、中性子インポータンスの低い炉心最外周領域に配置される。その内側に位置する炉心外側領域には、中性子無限増倍率が最も高い、炉内滞在期間が１サイクル目である燃料集合体１Ａが装荷されており、炉心の半径方向における出力分布の平坦化を図っている。炉心内側領域には、炉内滞在期間が２、３、４サイクル目の各燃料集合体１Ｂ，１Ｃ、１Ｄがそれぞれ配置されている。このような配置によって、炉心内側領域における出力分布の平坦化を図っている。燃料集合体１Ａ，１Ｂ，１Ｃ，１Ｄ，１Ｅは、それぞれ、図１３及び後述の図１７及び図１８に示す燃料集合体１である。これらの燃料集合体の下部タイプレート（図示せず）は、炉心２０の下端部に配置されている炉心支持板（図示せず）に設けられる複数の燃料支持金具（図示せず）に支持される。燃料集合体に冷却材を導く冷却材通路が燃料支持金具内に形成されており、燃料支持金具に設置されたオリフィス(図示せず)がその冷却材通路の入口部に配置される。炉心２０は、半径方向において最外周領域６及びその内側に位置する内側領域１の二領域が形成される（図１６参照）。燃料集合体１の出力が小さい最外周領域６に位置するオリフィスの口径は、内側領域７に位置するオリフィスの口径よりも小さくなっている。燃料集合体１は、燃料有効長の部分に、その上端から下端に向かって、図１７に示すように、上部ブランケット領域５、上部燃料領域６、内部ブランケット領域７、下部燃料領域８及び下部ブランケット領域９の５つの領域を順次形成している。それぞれの領域の高さは、以下の通りである。上部ブランケット領域５（上部ブランケット領域５Ａ）の高さは７０ｍｍであり、上部燃料領域６（上部燃料領域６Ａ）の高さは２４１ｍｍであり、内部ブランケット領域７（内部ブランケット領域７Ａ）の高さは５２０ｍｍであり、下部燃料領域８（下部燃料領域８Ａ）の高さは２２５ｍｍであり、下部ブランケット領域９（下部ブランケット領域９）の高さは２８０ｍｍである。燃料集合体１が燃焼度ゼロの新燃料集合体のとき、その燃料集合体１の全ての燃料棒３は、３つのブランケット領域に劣化ウランの酸化物ペレットを充填した。上部燃料領域６及び下部燃料領域８には、平均でＴＲＵの重量を１００としたときに劣化ウランを重量１７２の割合で混合した混合酸化物燃料を充填している。この混合酸化物燃料中のＴＲＵと劣化ウランの合計重量に対する核分裂性Ｐｕの重量割合、すなわち、平均核分裂性Ｐｕ富化度は１８ｗｔ％である。ＴＲＵは、使用済の燃料集合体１に含まれている核燃料物質から、再処理によって抽出された物質である。各ブランケット領域にはその混合酸化物燃料が充填されていない。なお、各ブランケット領域には劣化ウランのかわりに、天然ウランや、使用済み燃料集合体から回収される減損ウランの酸化物ペレットを用いてもよい。燃料集合体１は、図１８に示す５種類の燃料棒３を含んでいる。これらの燃料棒３は燃料棒３Ａ〜３Ｅである。燃料棒３Ａ〜３Ｅは図１８に示すように燃料集合体１内に配置される。燃料棒３Ａ〜３Ｅのそれ���れの上部燃料領域６及び下部燃料領域８にそれぞれ充填された混合酸化物燃料は、新燃料集合体（燃焼度ゼロ）の状態において、燃料棒３Ａで核分裂性Ｐｕの富化度が１０．７ｗｔ％、燃料棒３Ｂでその富化度が１３．５ｗｔ％、燃料棒３Ｃでその富化度が１６．８ｗｔ％、燃料棒３Ｄでその富化度が１８．２ｗｔ％及び燃料棒３Ｅでその富化度が１９．５ｗｔ％になっている。上部及び下部燃料領域６，８の平均核分裂性Ｐｕ富化度はどちらも１８ｗｔ％である。それぞれの燃料棒３の各ブランケット領域にはＴＲＵが存在しないが、それぞれの燃料棒３の上部燃料領域６及び下部燃料領域８の各混合酸化物燃料は燃焼度ゼロの状態において、表１に示す組成のＴＲＵを含んでいる。燃料集合体１は、新燃料集合体の状態で、全ＴＲＵ中のＰｕ−２３９の割合が４４ｗｔ％である。表１は、燃料集合体１が炉心２０から取り出された後、燃料貯蔵プール及び燃料再処理施設に２年、燃料製造施設に１年、合計３年間の間、炉外に滞在し、使用済燃料集合体内の核燃料物質の再処理で得られた、炉心に装荷される新燃料集合体に含まれる核燃料物質に存在するＴＲＵの組成である。再処理で得られて新燃料集合体１内に存在する核燃料物質には、表１に示すＴＲＵの複数のＴＲＵの同位体が含まれている。本実施例は、運転サイクルでの運転が終了したときに炉心から取り出される燃料集合体に存在するＴＲＵの組成と、その運転サイクルでの運転が開始できる状態の炉心に新たに装荷される燃料集合体に存在するＴＲＵの組成が実質的に一定というＴＲＵ多重リサイクルを実現している。
【００４６】
上部ブランケット領域の高さと下部ブランケット領域の高さの和が３５０ｍｍで下部ブランケット領域の高さが上部ブランケット領域の高さの４倍になっている本実施例によれば、原子炉の定格運転開始時において全引き抜き状態となっている制御棒２である安全棒の中性子吸収材充填領域１５の上端を、燃料棒３の燃料有効長１４の下端（炉心２０の下端）に位置させることにより（図１４参照）、ＢＷＲ１９を運転中に何らかの原因で炉心流量が急激に低下し、且つ、全ての制御棒が作動しない設計基準を超える複合事象が発生した場合でも、安全余裕を十分に確保することができる。その様な複合事象が発生した場合には、炉心内のボイド率が急激に上昇し若干サブクール状態で炉心下方から炉心に流入している冷却材の沸騰開始点が炉心の下端側へ移行し、炉心軸方向の出力分布が炉心の下端側へシフトする。このため、上端が、炉心の下端、すなわち、下部ブランケット領域９Ａの下端に位置している中性子吸収材充填領域１５内のＢ４Ｃによって炉心の下端にシフトしてくる余分な中性子を吸収することができる。その結果、本実施例は、非常用高圧炉心注水系から供給が可能な冷却材の容量で炉心２０内の燃料集合体１を冷却できる出力まで自動的に出力を低下させることができ、設計基準を超える複合事象時においても十分な安全ポテンシャルを保つことができる。このような本実施例は、軽水炉である軽水増殖炉の経済性を損なうことなく上記の複合事象が生じた場合でも安全余裕を向上させることができる。
【００４７】
本実施例は、下部ブランケット領域の高さが上部ブランケット領域の高さよりも高くなっており且つ上部ブランケット領域の高さが１０５ｍｍ以下の７０ｍｍになっているので、上記の複合事象が生じた場合における炉心の安全余裕をさらに向上させることができる。本実施例は、下部ブランケット領域の高さが上部ブランケット領域の高さよりも高くなっており且つ上部燃料領域の高さが下部燃料領域のそれよりも１０ｍｍ以上である１６ｍｍ高いので、上記の複合事象が生じた場合における炉心の安全余裕をもっと向上させることができる。
【００４８】
ＢＷＲ１９の定格出力運転中に全引き抜き状態となっている制御棒２である安全棒の中性子吸収材充填領域１５の上端を、燃料棒３の燃料有効長１４の下端に位置させている場合における炉心反応度低下を抑制する対策として、上部燃料領域６の高さを２４１ｍｍ、下部燃料領域８の高さを２２５ｍｍにすることを採用している。また、ボイド係数への影響ができるだけ小さくなるようにしつつ、増殖比１．０１を維持する対策として、上部ブランケット５の高さを７０ｍｍ、下部ブランケット９の高さを上部ブランケット５の１．６倍以上の２８０ｍｍとした。
【００４９】
本実施例により、全ての制約条件を満たし増殖比１．０１を維持しつつ何らかの原因で炉心流量が大幅に低下したときに全ての制御棒が作動しない設計基準を超える複合事象が発生した場合においても、非常用高圧炉心注水系から炉心に供給可能な冷却材の容量によって燃料集合体を冷却できる出力まで自動的に出力を低下させることができる。このため、軽水増殖炉であるＢＷＲ１９の安全余裕を向上できる（図４参照）。
【００５０】
現行のＡＢＷＲとほぼ同じ大きさの原子炉圧力容器２７を用いて、ＡＢＷＲと同じ電気出力１３５０ＭＷを発生させる、炉心２０を適用したＢＷＲ１９において、上部ブランケット領域５Ａ及び下部ブランケット領域９Ａを除く上部燃料領域６Ａ、下部燃料領域８Ａ及び内部ブランケット領域７Ａを含む炉心部領域の取り出し燃焼度を、この燃焼度が４５ＧＷｄ／ｔである、特許３４２８１５０号公報に記載されている軽水増殖炉よりも高燃焼度化することができる。炉心２０の炉心部領域の取り出し燃焼度が５３ＧＷｄ／ｔとなり、上部ブランケット領域５Ａ及び下部ブランケット領域９Ａを含んだ炉心２０の取り出し燃焼度が４５ＧＷｄ／ｔとなる。本実施例によれば、ＭＣＰＲは１．３であり、また、ボイド係数は−３×１０−４Δｋ／ｋ／％ｖｏｉｄで、R．TAKEDA et al., Proc． of International Conference on Advanced Nuclear Fuel Cycles and Systems. GLOBAL ’07 Boise, USA, September, 2007, P.1725に記載されている軽水増殖炉のボイド係数−２×１０−５Δｋ／ｋ／％ｖｏｉｄよりも絶対値が一桁大きくなる。さらに、本実施例によれば、ＴＲＵの各同位元素の割合を上記したように実質的に一定に保った状態で１．０１の増殖比が実現できる。
【００５１】
本実施例において、全引き抜き状態となっている安全棒の中性子吸収材充填領域１５の上端が燃料棒３の燃料有効長１４の下端（下部ブランケット領域９Ａの下端）に位置させる（図１４参照）替りに、各燃料集合体に含まれる各燃料棒３の燃料有効長１４の下方に、ボロン、ガドリニア、Ｄｙ，Ｓｍ．Ｅｕ等の中性子吸収物質を含んだペレット２１を配置しても同様の効果が得られる（図１９参照）。
【実施例２】
【００５２】
本発明の他の実施例である実施例２の軽水炉の炉心を、図２０〜図２２、表２を用いて以下に詳細に説明する。
【００５３】
【表２】
2010038852.tif 000004
【００５４】
本実施例の軽水炉の炉心２０Ａは、実施例１において燃料集合体１を図２０及び図２２に示す燃料集合体１Ｋに替えた構成を有し、他の構成は、実施例１と同じである。本実施例の構成は、実施例１と異なる部分について説明し、実施例１と同じ構成の説明は省略する。炉心２０Ａもパッフェ型炉心である。炉心２０Ａが適用される軽水炉は、炉心２０を炉心２０Ａに置き換えた、図１１に示すＢＷＲ１９である。炉心２０Ａが適用されたこのＢＷＲ１９は、炉心２０以外は実施例１の炉心が適用されるＢＷＲ１９と同じ構成を有する。炉心２０Ａは、ＴＲＵ消滅炉に適用される炉心である。
【００５５】
炉心２０Ａに配置される燃料集合体１Ｋ（図２０参照）は、チャンネルボックス４内に、直径７．２ｍｍの３９７本の燃料棒３Ｋを正三角形格子に配置している。燃料棒３Ｋの相互間の間隙が２．２ｍｍであり、最外層の燃料棒列には１１本の燃料棒３Ｋが配置される。炉心２０Ａは、平衡炉心の状態において図２１に示すように、経験した運転サイクル数が異なる燃料集合体１Ａ〜１Ｄを配置している。４サイクル目の燃料集合体１Ｄは、炉心最外周領域に配置される。炉心外側領域には１サイクル目の燃料集合体１Ａが配置され、炉心内側領域には２〜４サイクル目の各燃料集合体１Ｂ，１Ｃ，１Ｄがそれぞれ分散配置されている。炉心内側領域と炉心外側領域の間に、複数の燃料集合体１Ｂが環状に配置された中間領域が存在する。このような炉心２０Ａは半径方向における出力分布がより平坦化される。図２１に示した燃料集合体１Ａ〜１Ｅは、それぞれ、燃料集合体１Ｋである。
【００５６】
燃料集合体１Ｋは、燃料有効長の部分を４つの領域に分割しており、燃料集合体１から下部ブランケットを取り除いた構成となっている（図２２参照）。上部ブランケット領域５の高さは３０ｍｍであり、上部燃料領域６の高さは２２８ｍｍであり、内部ブランケット領域７の高さは５６０ｍｍであり、下部燃料領域８の高さは２１５ｍｍである。燃料集合体１Ｋが燃焼度ゼロの新燃料集合体のとき、その燃料集合体１Ｋの全ての燃料棒３Ｋは、２つのブランケット領域に劣化ウランの酸化物ペレットを充填し、上部燃料領域６及び下部燃料領域８にはＴＲＵ酸化物燃料を充填している。このＴＲＵ酸化物燃料の核分裂性Ｐｕの富化度は１３．０ｗｔ％である。燃料集合体１Ｋに用いられるＴＲＵは、使用済燃料集合体の核燃料物質を再処理することによって得られる。各ブランケット領域にはその混合酸化物燃料が充填されていない。上部燃料領域６及び下部燃料領域８に存在する各ＴＲＵ燃料は表２に示す組成のＴＲＵを含んでいる。燃料集合体１Ｌは、燃焼度ゼロの状態で、全ＴＲＵ中のＰｕ−２３９の割合が８．５ｗｔ％である。炉心２０Ａは、上部ブランケット領域５によって形成される上部ブランケット領域５Ａ、上部燃料領域６によって形成される上部燃料領域６Ａ、内部ブランケット領域７によって形成される内部ブランケット領域７Ａ及び下部燃料領域８Ａによって形成される下部燃料領域８Ａを、上端から下端に向かって順次配置している。炉心２０Ａでは、下部燃料領域８Ａの下端が炉心２０Ａの下端の位置と一致しており、下部ブランケット領域が形成されていない。
【００５７】
本実施例も第１実施例の図１４と同様に、ＢＷＲ１９が定格出力運転されているとき、全引き抜き状態となっている制御棒２である安全棒は、Ｂ４Ｃ が充填された中性子吸収材充填領域１５の上端が燃料棒３Ｋの燃料有効長の下端に位置するように炉心２０Ａから引き抜かれる。制御棒２は、中性子吸収材充填領域１５の上方に、軽水より減速能が小さい物質である炭素で構成されたフォロアー部１６を設けている。
【００５８】
上部ブランケット領域の高さが１００ｍｍ以下である３０ｍｍであり且つ下部燃料領域の下端が炉心２０Ａの下端と一致して下部ブランケット領域が設けられていない本実施例によれば、全引き抜き状態となっている複数の安全棒の中性子吸収材充填領域１５の上端が燃料棒３の燃料有効長１４の下端、すなわち、下部燃料領域８Ａの下端に位置させることにより（図１４参照）、ＴＲＵ消滅炉であるＢＷＲ１９の運転中に何らかの原因で炉心流量が急激に低下し、かつ、全ての制御棒が作動しない設計基準を超える複合事象が発生した場合、炉心２０Ａ内のボイド率が急激に上昇し若干サブクール状態で炉心２０Ａの下方から流入している冷却材の沸騰開始点が炉心２０Ａの下端側に移行し、炉心軸方向の出力分布も炉心の下端側にシフトする。このとき、上端が下部燃料領域８Ａの下端に位置している各中性子吸収材充填領域１５内に存在するＢ４Ｃ によって炉心の下端側にシフトしてくる余分な中性子を吸収することができる。その結果、非常用高圧炉心注水系から炉心２０Ａに供給可能な冷却材の容量によって燃料集合体を冷却できる出力まで自動的に出力を低下させることができる。このため、設計基準を超える複合事象が発生した場合においても、ＴＲＵ消滅炉で十分な安全ポテンシャルを保つことができる。このような本実施例は、軽水炉であるＴＲＵ消滅炉の経済性を損なうことなく上記の複合事象が生じた場合でも安全余裕を向上させることができる。
【００５９】
本実施例は、上部ブランケット領域を有し且つ上部燃料領域の高さが下部燃料領域のそれよりも１０ｍｍ以上である１３ｍｍ高いので、上記の複合事象が生じた場合における炉心の安全余裕をさらに向上させることができる。
【００６０】
ＢＷＲ１９を運転中に全引き抜き状態となっている安全棒の中性子吸収材充填領域１５の上端が燃料棒３の燃料有効長の下端（下部燃料領域８Ａの下端）に位置させた場合の炉心反応度低下の対策を実施しつつ、ボイド係数への影響ができるだけ小さくなるように、上部ブランケット領域５の高さを３０ｍｍとし、上部燃料領域６の高さを下部燃料領域８の高さより１３ｍｍ高くした。
【００６１】
上部ブランケット領域の高さが１００ｍｍ以下である３０ｍｍであり且つ下部燃料領域の下端が炉心２０Ａの下端と一致して下部ブランケット領域が設けられていない本実施例によれば、全ての制約条件を満たしつつ何らかの原因で炉心流量が大幅に低下したときに全ての制御棒が作動しない設計基準を超える複合事象が発生した場合でも、非常用高圧炉心注水系から炉心２０Ａに供給が可能な冷却材の容量で燃料集合体を冷却できる出力まで自動的に出力を低下させることができる（図１０参照）。このため、そのような複合事象が発生しても、炉心２０Ａの安全余裕を向上させることができる。炉心２０Ａは、燃料集合体１Ｋに含まれているＴＲＵの量を燃焼度ゼロのときよりも減少させることができる。
【００６２】
現行のＡＢＷＲとほぼ同じ大きさの原子炉圧力容器を用いて、ＡＢＷＲと同じ電気出力１３５０ＭＷを発生させる、炉心２０Ａを適用したＢＷＲ１９において、炉心２０Ａの取り出し燃焼度６５ＧＷｄ／ｔを達成できる。本実施例によれば、ＭＣＰＲは１．３であり、また、ボイド係数は−４×１０−４Δｋ／ｋ／％ｖｏｉｄで、R．TAKEDA et al., Proc． of International Conference on Advanced Nuclear Fuel Cycles and Systems. GLOBAL ’07 Boise, USA, September, 2007, P.1725に記載されているＴＲＵ消滅炉のボイド係数−２×１０−５Δｋ／ｋ／％ｖｏｉｄよりも絶対値が一桁大きくなる。さらに、本実施例によれば、ＴＲＵ同位元素の割合保持を実現しつつＴＲＵを減少させることができる。
本実施例においても、実施例１と同様に、全引き抜き状態となっている安全棒の中性子吸収材充填領域１５の上端が燃料棒３の燃料有効長１４の下端（下部燃料領域８Ａの下端）に位置させる（図１４参照）替りに、各燃料集合体に含まれる各燃料棒３の燃料有効長１４の下方に、ボロン、ガドリニア、Ｄｙ，Ｓｍ．Ｅｕ等の中性子吸収物質を含んだペレット２１を配置しても同様の効果が得られる（図１９参照）。
【実施例３】
【００６３】
本発明の他の実施例である実施例３の軽水炉の炉心を、図２３〜図２５及び表３を用いて以下に詳細に説明する。  
【００６４】
【表３】
2010038852.tif 000005
【００６５】
本実施例の軽水炉の炉心２０Ｂは、実施例２の炉心２０Ａにおいて燃料集合体１Ｋを図２４及び図２５記載された燃料集合体１Ｌに替えた構成を有し、他の構成は、実施例２と同じである。炉心２０Ｂが適用される軽水炉は、炉心２０を炉心２０Ｂに置き換えた、図１１に示すＢＷＲ１９である。炉心２０Ｂが適用されたこのＢＷＲ１９は、炉心２０以外は実施例１の炉心が適用されるＢＷＲ１９と同じ構成を有する。炉心２０Ｂは、ＴＲＵ消滅炉に適用される炉心である。本実施例の構成は、実施例２と異なる部分について説明し、実施例２と同じ構成の説明は省略する。
【００６６】
本実施例に用いられる燃料集合体１Ｌ（図２４参照）は、チャンネルボックス４内に、直径７．６ｍｍの３９７本の燃料棒３Ｌを正三角形格子に配置している。燃料棒３Ｌの相互間の間隙が１．８ｍｍであり、最外層の燃料棒列には１１本の燃料棒３Ｌが配置される。炉心２０Ｂは、平衡炉心の状態において図２３に示すように、経験した運転サイクル数が異なる燃料集合体１Ａ〜１Ｄを配置している。４サイクル目の燃料集合体１Ｄは、炉心最外周領域に配置される。炉心外側領域には１サイクル目の燃料集合体１Ａが配置され、炉心内側領域には２〜４サイクル目の各燃料集合体１Ｂ，１Ｃ，１Ｄがそれぞれ分散配置されている。炉心内側領域と炉心外側領域の間に、複数の燃料集合体１Ｂが環状に配置された中間領域が存在する。このような炉心２０Ｂは半径方向における出力分布がより平坦化される。図２３に示した燃料集合体１Ａ〜１Ｅは、それぞれ、燃料集合体１Ｌである。
【００６７】
燃料集合体１Ｌは、燃料集合体１Ｋと同様に、燃料有効長の部分を４つの領域に分割しており（図２５参照）、上部ブランケット領域５の高さは５０ｍｍであり、上部燃料領域６の高さは１８３ｍｍであり、内部ブランケット領域７の高さは５６０ｍｍであり、下部燃料領域８の高さは１７３ｍｍである。燃料集合体１Ｌが燃焼度ゼロの新燃料集合体のとき、その燃料集合体１Ｌの全ての燃料棒３Ｌは、２つのブランケット領域に劣化ウランの酸化物ペレットを充填し、上部燃料領域６及び下部燃料領域８にはＴＲＵ酸化物燃料を充填している。このＴＲＵ燃料の核分裂性Ｐｕの富化度は１８．０ｗｔ％である。各ブランケット領域にはその混合酸化物燃料が充填されていない。上部燃料領域６及び下部燃料領域８に存在する各ＴＲＵ酸化物燃料は表３に示す組成のＴＲＵを含んでいる。このＴＲＵは使用済燃料集合体の核燃料物質を再処理することによって得られた物質である。燃料集合体１Ｌは、燃焼度ゼロの状態で、全ＴＲＵ中のＰｕ−２３９の割合が１３．４ｗｔ％である。炉心２０Ｂも、上部ブランケット領域５によって形成される上部ブランケット領域５Ａ、上部燃料領域６によって形成される上部燃料領域６Ａ、内部ブランケット領域７によって形成される内部ブランケット領域７Ａ及び下部燃料領域８Ａによって形成される下部燃料領域８Ａを、上端から下端に向かって順次配置している。炉心２０Ｂでは、下部燃料領域８Ａの下端が炉心２０Ｂの下端の位置と一致しており、下部ブランケット領域が形成されていない。
【００６８】
本実施例も第１実施例の図１４と同様に、ＢＷＲ１９が定格出力運転されているとき、全引き抜き状態となっている各安全棒（制御棒２の一部）の中性子吸収材充填領域１５の上端が、燃料棒３Ｌの燃料有効長の下端（下部燃料領域８Ａの下端）に位置している。Ｙ字型の制御棒２は、中性子吸収材充填領域１５の上方に、軽水より減速能が小さい物質である炭素で構成されたフォロアー部１６を設けている。
【００６９】
上部ブランケット領域の高さが１００ｍｍ以下である５０ｍｍであり且つ下部燃料領域の下端が炉心２０Ｂの下端と一致して下部ブランケット領域が設けられていない本実施例によれば、全引き抜き状態となっている各安全棒の中性子吸収材充填領域１５の上端が燃料棒３の燃料有効長１４の下端、すなわち、下部燃料領域８Ａの下端に位置させることにより（図１４参照）、ＴＲＵ消滅炉であるＢＷＲ１９を運転中に何らかの原因で炉心流量が急激に低下し、かつ、全ての制御棒が作動しない設計基準を超える複合事象が発生した場合、炉心２０Ｂ内のボイド率が急激に上昇し若干サブクール状態で炉心２０Ｂの下方から流入している冷却材の沸騰開始点が炉心２０Ｂの下端側に移行し、炉心軸方向の出力分布が炉心２０Ｂの下端側にシフトする。このとき、上端が下部燃料領域８Ａの下端に位置している各中性子吸収材充填領域１５内に存在するＢ４Ｃ によって炉心２０Ｂの下端側にシフトしてくる余分な中性子を吸収できる。その結果、非常用高圧炉心注水系から炉心２０Ｂに供給可能な冷却材の容量によって燃料集合体を冷却できる出力まで自動的に出力を低下させることができる。このため、設計基準を超える複合事象が発生した場合においても、ＴＲＵ消滅炉で十分な安全ポテンシャルを保つことができる。このような本実施例は、ＴＲＵ消滅炉の経済性を損なうことなく上記の複合事象が生じた場合でも安全余裕を向上させることができる。
【００７０】
本実施例は、上部ブランケット領域を有し且つ上部燃料領域の高さが下部燃料領域のそれよりも１０ｍｍ高いので、上記の複合事象が生じた場合における炉心の安全余裕をさらに向上させることができる。
【００７１】
ＢＷＲ１９を運転中に全引き抜き状態となっている安全棒の中性子吸収材充填領域１５の上端が燃料棒３の燃料有効長の下端（下部燃料領域８Ａの下端）に位置させた場合の炉心反応度低下の対策を実施しつつ、ボイド係数への影響ができるだけ小さくなるように、上部ブランケット領域５の高さを５０ｍｍとし、上部燃料領域６の高さを下部燃料領域８の高さより１０ｍｍ高くした。
【００７２】
本実施例により、全ての制約条件を満たしつつ何らかの原因で炉心流量が大幅に低下したときに全ての制御棒が作動しない設計基準を超える複合事象が発生した場合でも、非常用高圧炉心注水系から炉心２０Ｂに供給が可能な冷却材の容量で燃料集合体を冷却できる出力まで自動的に出力を低下させることができる。このため、そのような複合事象が発生しても、炉心２０Ｂの安全余裕を向上させることができる。炉心２０Ｂは、燃料集合体１Ｌに含まれているＴＲＵの量を燃焼度ゼロのときよりも減少させることができる。
【００７３】
現行のＡＢＷＲとほぼ同じ大きさの原子炉圧力容器を用いて、ＡＢＷＲと同じ電気出力１３５０ＭＷを発生させる、炉心２０Ｂを適用したＢＷＲ１９において、炉心２０Ｃの取り出し燃焼度６５ＧＷｄ／ｔを達成できる。本実施例は、ボイド係数が−６×１０−４ΔΔｋ／ｋ／％ｖｏｉｄになり、ＭＣＰＲが１．３になって、ＴＲＵ同位元素の割合保持を実現でき、ＴＲＵを減少させることができる。
【実施例４】
【００７４】
本発明の他の実施例である実施例３の軽水炉の炉心を、図２６、図２７及び表４を用いて以下に詳細に説明する。
【００７５】
【表４】
2010038852.tif 000006
【００７６】
本実施例の軽水炉の炉心２０Ｃは、実施例２の炉心２０Ａにおいて燃料集合体１Ｋを図２６及び図２７に示す燃料集合体１Ｍに替えた構成を有し、他の構成は、実施例２と同じである。炉心２０Ｃが適用される軽水炉は、炉心２０を炉心２０Ｃに置き換えた、図１１に示すＢＷＲ１９である。炉心２０Ｃが適用されたこのＢＷＲ１９は、炉心２０以外は実施例１の炉心が適用されるＢＷＲ１９と同じ構成を有する。炉心２０Ｃは、ＴＲＵ消滅炉に適用される炉心である。本実施例の構成は、実施例２と異なる部分について説明し、実施例２と同じ構成の説明は省略する。
【００７７】
本実施例に用いられる燃料集合体１Ｍ（図２６参照）は、チャンネルボックス４内に、直径７．１ｍｍの３９７本の燃料棒３Ｍを正三角形格子に配置している。燃料棒３Ｍの相互間の間隙が２．３ｍｍであり、最外層の燃料棒列には１１本の燃料棒３Ｍが配置される。本実施例の平衡炉心における燃料集合体の配置は実施例２の図２１と同じである。
【００７８】
燃料集合体１Ｍは、燃料集合体１Ｋと同様に、燃料有効長の部分を４つの領域に分割しており（図２７参照）、上部ブランケット領域５の高さは３０ｍｍであり、上部燃料領域６の高さは２４０ｍｍであり、内部ブランケット領域７の高さは５６０ｍｍであり、下部燃料領域８の高さは２２７ｍｍである。燃料集合体１Ｍが燃焼度ゼロの新燃料集合体のとき、その燃料集合体１Ｍの全ての燃料棒３Ｍは、２つのブランケット領域に劣化ウランの酸化物ペレットを充填し、上部燃料領域６及び下部燃料領域８にはＴＲＵ酸化物燃料を充填している。このＴＲＵ酸化物燃料の核分裂性Ｐｕの富化度は１１．６ｗｔ％である。各ブランケット領域にはその混合酸化物燃料が充填されていない。上部燃料領域６及び下部燃料領域８に存在する各ＴＲＵ燃料は表４に示す組成のＴＲＵを含んでいる。このＴＲＵは使用済燃料集合体の核燃料物質を再処理することによって得られた物質である。燃料集合体１Ｍは、新燃料集合体の状態で、全ＴＲＵ中のＰｕ−２３９の割合が７．０ｗｔ％である。炉心２０Ｃも、上部ブランケット領域５によって形成される上部ブランケット領域５Ａ、上部燃料領域６によって形成される上部燃料領域６Ａ、内部ブランケット領域７によって形成される内部ブランケット領域７Ａ及び下部燃料領域８Ａによって形成される下部燃料領域８Ａを、上端から下端に向かって順次配置している。炉心２０Ｃでは、下部燃料領域８Ａの下端が炉心２０Ｃの下端の位置と一致しており、下部ブランケット領域が形成されていない。
【００７９】
本実施例も第１実施例の図１４と同様に、ＢＷＲ１９が定格出力運転されているとき、全引き抜き状態となっている各安全棒（Ｙ字型の制御棒２の一部）の中性子吸収材充填領域１５の上端が燃料棒３Ｍの燃料有効長の下端（下部燃料領域８Ａの下端）に位置している。制御棒２は、中性子吸収材充填領域１５の上方に、軽水より減速能が小さい物質である炭素で構成されたフォロアー部１６を設けている。
【００８０】
上部ブランケット領域の高さが１００ｍｍ以下である３０ｍｍであり且つ下部燃料領域の下端が炉心２０Ｃの下端と一致して下部ブランケット領域が設けられていない本実施例によれば、全引き抜き状態となっている各安全棒の中性子吸収材充填領域１５の上端が燃料棒３の燃料有効長１４の下端、すなわち、下部燃料領域８Ａの下端に位置させることにより（図１４参照）、ＴＲＵ消滅炉であるＢＷＲ１９を運転中に何らかの原因で炉心流量が急激に低下し、かつ、全ての制御棒が作動しない設計基準を超える複合事象が発生した場合、炉心２０Ｃ内のボイド率が急激に上昇し若干サブクール状態で炉心２０Ｃの下方から流入している冷却材の沸騰開始点が炉心２０Ｃの下端側に移行し、炉心軸方向の出力分布が炉心２０Ｃの下端側にシフトする。このとき、上端が下部燃料領域８Ａの下端に位置している各中性子吸収材充填領域１５内に存在するＢ４Ｃ によって炉心２０Ｃの下端側にシフトしてくる余分な中性子を吸収できる。その結果、非常用高圧炉心注水系から炉心２０Ｃに供給可能な冷却材の容量によって燃料集合体を冷却できる出力まで自動的に出力を低下させることができる。このため、設計基準を超える複合事象が発生した場合においても、ＴＲＵ消滅炉で十分な安全ポテンシャルを保つことができる。このような本実施例は、ＴＲＵ消滅炉の経済性を損なうことなく上記の複合事象が生じた場合でも安全余裕を向上させることができる。
【００８１】
本実施例は、上部ブランケット領域を有し且つ上部燃料領域の高さが下部燃料領域のそれよりも１０ｍｍ以上である１３ｍｍ高いので、上記の複合事象が生じた場合における炉心の安全余裕をさらに向上させることができる。
【００８２】
ＢＷＲ１９を運転中に全引き抜き状態となっている安全棒の中性子吸収材充填領域１５の上端が燃料棒３の燃料有効長の下端（下部燃料領域８Ａの下端）に位置させた場合の炉心反応度低下の対策を実施しつつ、ボイド係数への影響ができるだけ小さくなるように、上部ブランケット領域５の高さを３０ｍｍとし、上部燃料領域６の高さを下部燃料領域８の高さより１３ｍｍ高くした。
【００８３】
本実施例により、全ての制約条件を満たしつつ何らかの原因で炉心流量が大幅に低下したときに全ての制御棒が作動しない設計基準を超える複合事象が発生した場合でも、非常用高圧炉心注水系から炉心２０Ｃに供給が可能な冷却材の容量で燃料集合体を冷却できる出力まで自動的に出力を低下させることができる。このため、そのような複合事象が発生しても、炉心２０Ｃの安全余裕を向上させることができる。炉心２０Ｃは、燃料集合体１Ｍに含まれているＴＲＵの量を燃焼度ゼロのときよりも減少させることができる。
【００８４】
現行のＡＢＷＲとほぼ同じ大きさの原子炉圧力容器を用いて、ＡＢＷＲと同じ電気出力１３５０ＭＷを発生させる、炉心２０Ｃを適用したＢＷＲ１９において、取り出し燃焼度６５ＧＷｄ／ｔを達成できる。本実施例は、ボイド係数が−３×１０−４Δｋ／ｋ／％ｖｏｉｄになり、ＭＣＰＲが１．３になって、ＴＲＵ同位元素の割合保持を実現でき、ＴＲＵを減少させることができる。
【実施例５】
【００８５】
本発明の他の実施例である実施例５の軽水炉の炉心を、図２８を用いて以下に詳細に説明する。本実施例の軽水炉の炉心は、実施例１の炉心２０に装荷する燃料集合体１を図２８に示す構成とし、他の構成は、実施例１と同じである。
【００８６】
燃料集合体は、燃料有効長の部分に、その上端から下端に向かって、図２８に示すように、上部ブランケット領域５、上部燃料領域６、内部ブランケット領域７、下部燃料領域８及び下部ブランケット領域９の５つの領域を順次形成している。それぞれの領域の高さは、以下の通りである。上部ブランケット領域５の高さは１０５ｍｍであり、上部燃料領域６の高さは２４８ｍｍであり、内部ブランケット領域７の高さは５２０ｍｍであり、下部燃料領域８の高さは２３２ｍｍであり、下部ブランケット領域９の高さは２８０ｍｍである。図２８に示す各領域が形成された複数の燃料集合体１が装荷された炉心２０も、上部ブランケット領域５によって形成される上部ブランケット領域５Ａ、上部燃料領域６によって形成される上部燃料領域６Ａ、内部ブランケット領域７によって形成される内部ブランケット領域７Ａ、下部燃料領域８Ａによって形成される下部燃料領域８Ａ及び下部ブランケット領域９によって形成される下部ブランケット領域９Ａを、上端から下端に向かって順次配置している。
【００８７】
本実施例の炉心も実施例１で生じる各効果を得ることができる。
【００８８】
設計基準内の安全性のみを考慮した本実施例では、現行のＡＢＷＲとほぼ同じ大きさの原子炉圧力容器を用いて、ＡＢＷＲと同じ電気出力１３５０ＭＷを発生させる、本実施例の炉心を適用したＢＷＲ１９において、実施例１より高燃焼度化を実現でき、炉心部領域の取り出し燃焼度６６ＧＷｄ／ｔ、上部及び下部ブランケット領域を含んだ炉心の取り出し燃焼度５５ＧＷｄ／ｔを実現できる。本実施例は、ボイド係数が−５×１０−５Δｋ／ｋ／％ｖｏｉｄになり、ＭＣＰＲが１．３になって、ＴＲＵの各同位元素の割合を上記したように実質的に一定に保った状態で、増殖比１．０１を実現することができる。
【実施例６】
【００８９】
本発明の他の実施例である実施例６の軽水炉の炉心を、図２９及び図３０を用いて以下に詳細に説明する。
【００９０】
本実施例の炉心は、実施例１の炉心２０に装荷する燃料集合体１を図２９に示す構成とし、他の構成は、実施例１と同じである。本実施例では、本実施例の炉心が適用された軽水炉が定格出力運転されているとき、全引き抜き状態となっている安全棒（Ｙ字型の制御棒２の一部）の中性子吸収材充填領域１５の上端が、下部ブランケット領域９の下端から、下部ブランケット領域９の高さの１／５の位置に位置している（図３０参照）。
【００９１】
この燃料集合体は、燃料有効長の部分に、その上端から下端に向かって、図２９に示すように、上部ブランケット領域５、上部燃料領域６、内部ブランケット領域７、下部燃料領域８及び下部ブランケット領域９の５つの領域を順次形成している。それぞれの領域の高さは、以下の通りである。上部ブランケット領域５の高さは６０ｍｍであり、上部燃料領域６の高さは２３５ｍｍであり、内部ブランケット領域７の高さは４５０ｍｍであり、下部燃料領域８の高さは２１９ｍｍであり、下部ブランケット領域９の高さは２８０ｍｍである。本実施例の炉心も、炉心２０と同様に、図２９に示された燃料集合体に形成された上部ブランケット領域５、上部燃料領域６、内部ブランケット領域７、下部燃料領域８及び下部ブランケット領域９と同じ軸方向の位置に、上部ブランケット領域５Ａ、上部燃料領域６Ａ、内部ブランケット領域７Ａ、下部燃料領域８Ａ及び下部ブランケット領域９Ａを形成している。
【００９２】
本実施例の炉心も実施例１で生じる各効果を得ることができる。
【００９３】
現行のＡＢＷＲとほぼ同じ大きさの原子炉圧力容器２７を用いて、ＡＢＷＲと同じ電気出力１３５０ＭＷを発生させる、本実施例の炉心を適用したＢＷＲ１９において、炉心部領域の取り出し燃焼度５４ＧＷｄ／ｔ、上部及び下部ブランケット領域を含んだ炉心２０の取り出し燃焼度４５ＧＷｄ／ｔを実現できる。さらに、本実施例は、ボイド係数が−３×１０−４Δｋ／ｋ／％ｖｏｉｄになり、ＭＣＰＲが１．３になって、ＴＲＵの各同位元素の割合を上記したように実質的に一定に保った状態で、増殖比１．０１を実現することができる。
【図面の簡単な説明】
【００９４】
【図１】核分裂性Ｐｕ増倍比１.０１の炉心の定格出力運転時の炉心軸方向における平均出力分布、及び炉心流量が非常用高圧注水系の供給可能な冷却材の流量である４ｋｔ/hまで低下した場合の炉心軸方向の平均出力分布を示す説明図である。
【図２】核分裂性Ｐｕ増倍比１.０１の炉心の定格出力運転時における炉心軸方向の平均出力分布、及び炉心流量が非常用高圧注水系の供給可能な冷却材の流量である４ｋｔ/hまで低下した場合の炉心高さ方向のボイド率分布を示す説明図である。
【図３】核分裂性Ｐｕ増倍比１.０１の炉心の軸方向の熱中性子束分布を示す説明図である。
【図４】核分裂性Ｐｕ増倍比１.０１の炉心における炉心流量と出力の関係を示す説明図である。
【図５】核分裂性Ｐｕ増倍比１.０１の炉心における上部ブランケット領域の高さに対するボイド係数及び下部ブランケット領域と上部ブランケット領域の比の関係を示す説明図である。
【図６】核分裂性Ｐｕ増倍比１.０１の炉心における上部ブランケット領域の高さに対する上下ブランケット領域の高さの和の関係を示す説明図である。
【図７】ＴＲＵを消滅させるＢＷＲ炉心の定格出力運転時における炉心軸方向の平均出力分布と炉心流量が非常用高圧注水系の供給可能な冷却材の流量である４ｋｔ/hまで低下した場合の炉心高さ方向の平均出力分布を示す説明図である。
【図８】ＴＲＵを消滅させるＢＷＲ炉心の定格出力運転時における炉心軸方向の平均出力分布、及び炉心流量が非常用高圧注水系の供給可能な冷却材の流量である４ｋｔ/hまで低下した場合の炉心軸方向のボイド率分布を示す説明図である。
【図９】ＴＲＵを消滅させるＢＷＲ炉心の炉心軸方向の熱中性子束分布を示す説明図である。
【図１０】ＴＲＵを消滅させるＢＷＲ炉心の炉心流量と出力の関係を示す説明図である。
【図１１】本発明の好適な一実施例である実施例１の炉心を適用した軽水炉の縦断面図である。
【図１２】図１１に示す炉心の横断面図である。
【図１３】図１２に示す燃料集合体格子の横断面図である。
【図１４】図１３に示す燃料集合体内の燃料棒とＹ字型制御棒の軸方向の位置関係を示した説明図である。
【図１５】図１１に示す炉心の平衡炉心状態における燃料集合体の配置を示す説明図である。
【図１６】図１５に示す平衡炉心におけるオリフィスの開口分布を示す説明図である。
【図１７】図１１に示す炉心の平衡炉心に装荷する新燃料集合体の軸方向における核分裂性Ｐｕの富化度分布を示す説明図である。
【図１８】図１３に示す燃料集合体の横断面における核分裂性Ｐｕの富化度が異なる各燃料棒の配置を示した説明図である。
【図１９】図１３に示す燃料集合体内の燃料棒の軸方向の構成を示す説明図である。
【図２０】本発明の他の実施例である実施例２の軽水炉の炉心における燃料集合体格子の横断面図である。
【図２１】実施例２の軽水炉の平衡炉心における燃料集合体の配置を示す説明図である。
【図２２】図２１に示す炉心の平衡炉心に装荷する新燃料集合体の軸方向における核分裂性Ｐｕの富化度分布を示す説明図である。
【図２３】本発明の他の実施例である実施例３の軽水炉の炉心における燃料集合体格子の横断面図である。
【図２４】実施例３の軽水炉の平衡炉心における燃料集合体の配置を示す説明図である。
【図２５】図２４に示す炉心の平衡炉心に装荷する新燃料集合体の軸方向における核分裂性Ｐｕの富化度分布を示す説明図である。
【図２６】本発明の他の実施例である実施例４の軽水炉の炉心における燃料集合体格子の横断面図である。
【図２７】図２６に示す炉心の平衡炉心に装荷する新燃料集合体の軸方向における核分裂性Ｐｕの富化度分布を示す説明図である。
【図２８】本発明の他の実施例である実施例５の軽水炉の平衡炉心に装荷する新燃料集合体の軸方向における核分裂性Ｐｕの富化度分布を示す説明図である。
【図２９】本発明の他の実施例である実施例６の軽水炉の平衡炉心に装荷する新燃料集合体の軸方向における核分裂性Ｐｕの富化度分布を示す説明図である。
【図３０】本発明の他の実施例である実施例６の燃料集合体内の燃料棒とＹ字型制御棒の高さ方向の位置関係を示した説明図である。
【符号の説明】
【００９５】
１，１Ｋ，１Ｌ，１Ｍ…燃料集合体、２…制御棒、３…燃料棒、５，５Ａ…上部ブランケット領域、６，６Ａ…上部燃料領域、７，７Ａ…内部ブランケット領域、８，８Ａ…下部燃料領域、９，９Ａ…下部ブランケット領域、１４…燃料有効長、１５…中性子吸収材充填領域、１９…ＢＷＲ、２０，２０Ａ，２０Ｂ，２０Ｃ…炉心。
【図１】
2010038852.tif 000007
【図２】
2010038852.tif 000008
【図３】
2010038852.tif 000009
【図４】
2010038852.tif 000010
【図５】
2010038852.tif 000011
【図６】
2010038852.tif 000012
【図７】
2010038852.tif 000013
【図８】
2010038852.tif 000014
【図９】
2010038852.tif 000015
【図１０】
2010038852.tif 000016
【図１１】
2010038852.tif 000017
【図１２】
2010038852.tif 000018
【図１３】
2010038852.tif 000019
【図１４】
2010038852.tif 000020
【図１５】
2010038852.tif 000021
【図１６】
2010038852.tif 000022
【図１７】
2010038852.tif 000023
【図１８】
2010038852.tif 000024
【図１９】
2010038852.tif 000025
【図２０】
2010038852.tif 000026
【図２１】
2010038852.tif 000027
【図２２】
2010038852.tif 000028
【図２３】
2010038852.tif 000029
【図２４】
2010038852.tif 000030
【図２５】
2010038852.tif 000031
【図２６】
2010038852.tif 000032
【図２７】
2010038852.tif 000033
【図２８】
2010038852.tif 000034
【図２９】
2010038852.tif 000035
【図３０】
2010038852.tif 000036